(57)【要約】【課題】１本の電池で動作するリモコン装置を提供する。【解決手段】複数の操作スイッチと、１．２〜１．５ボルトの駆動電圧で被制御機器に対して制御光を発射することができる赤外線発光素子と、複数の操作スイッチの操作に応じて１．２〜１．５ボルトの駆動電圧で、赤外線発光素子の発光状態を制御するマイクロコンピュータと、赤外線発光素子と、マイクロコンピュータに１．２〜１．５ボルトの駆動電圧を与える１本の電池とによって構成したリモコン装置を提案する。【選択図】　図１
2004096549.tif 000002
【特許請求の範囲】
【請求項１】
Ａ、複数の操作スイッチと、
Ｂ、１．２〜１．５ボルトの駆動電圧で被制御機器に対して制御光を発射することができる赤外線発光素子と、
Ｃ、上記複数の操作スイッチの操作に応じて１．２〜１．５ボルトの駆動電圧で、上記赤外線発光素子の発光状態を制御するマイクロコンピュータと、
Ｄ、上記赤外線発光素子と、上記マイクロコンピュータに１．２〜１．５ボルトの駆動電圧を与える電池と、
によって構成したことを特徴とするリモコン装置。
【発明の詳細な説明】
【０００１】
【発明の属する技術分野】
この発明は、例えばテレビジョン受像機、或はビデオテープレコーダ、ルームクーラなどの被制御機器に制御信号を与え、これら被制御機器の状態を制御するリモコン装置に関する。
【０００２】
【従来の技術】
図２に従来よりよく使われているリモコン装置の回路構成を示す。リモコン装置は複数の操作スイッチＫ１、Ｋ２、Ｋ３…を具備して構成される入力手段１１と、この入力手段１１から入力した指令を解読し、その指令に対応した直列コード信号を出力するマイクロコンピュータ１２と、このマイクロコンピュータ１２が出力する直列コード信号に従って、断続動作するトランジスタ１３と、このトランジスタ１３の断続動作により断続的に発光してテレビジョン受像機等の被制御機器（特に図示していない）に直列コードを持つ光パルス列を発信する赤外線発光素子１４と、赤外線発光素子１４とトランジスタ１３とからなる直列回路に流れる電流を規定の値の範囲の電流値に制限するための電流制限用抵抗器１５と、マイクロコンピュータ１２と赤外線発光素子１４に駆動電圧を与える電池１６Ａ、１６Ｂとによって構成される。
【０００３】
従来のマイクロコンピュータ１２と赤外線発光素子１４は駆動電圧が１．７ボルト以上を必要としている。従って、一般には電池は定格起電圧が１．５ボルトの電池１６Ａと１６Ｂを２本直列接続し、合わせて３ボルトの駆動電圧をマイクロコンピュータ１２及び赤外線発光素子１４に印加してマイクロコンピュータ１２と赤外線発光素子１４を動作させている。
２本の電池１６Ａと１６Ｂを用いるリモコン装置では電源電圧が３ボルトと高いことから各素子に流れる電流量が大きくなる傾向にあり、電力消費量が大きくなることから電池１６Ａと１６Ｂの寿命が短くなる不都合が生じる。
【０００４】
このため、従来より駆動電圧を低電圧化し、駆動電圧の低電圧化により電力消費量を低減しようとする試みが各種存在する。
図３は１本の電池１６Ａの起電圧を昇圧回路１７で昇圧し、その昇圧した電圧をマイクロコンピュータ１２と赤外線発光素子１４に印加し、これらマイクロコンピュータ１２と赤外線発光素子１４を動作させる構造とした場合を示す。
また、図４には先に提案されたリモコン装置の概要を示す（例えば、特許文献１）。この先にされた提案では赤外線発光素子１４と並列にインダクタ１８とキャパンタ１９を接続し、マイクロコンピュータ１２からの断続信号によってトランジスタ１３が断続動作することによりインダクタ１８に断続的に電流（パルス状の電流）を流し、この断続電流によりインダクタ１８に逆起電圧Ｅを発生させ、この逆起電圧Ｅによって赤外線発光素子１４を断続的に発光させる型式のリモコン装置である。
【０００５】
この型式のリモコン装置によればインダクタ１８に発生する逆起電圧の値はインダクタ１８のインダクタンス値に対応して比較的大きい電圧値を得ることができる。このために、電源となる電池１６Ａから与えられる駆動電圧だけでは赤外線発光素子１４を発光させることができなくとも、逆起電圧Ｅで赤外線発光素子１４を発光させることができるため、電池を１本で済ませることができる利点が得られる。
図５には更に先に提案されたリモコン装置の概要を示す（例えば、特許文献２および３）。この場合にはトランジスタ１３Ａ、１３Ｂがオフの状態でキャパシタ２０に充電電流が流れ、キャパシタ２０には電池１６Ａの電圧（１．５ボルト）が充電される。トランジスタ１３Ａ、１３Ｂがオンの状態に制御されると、赤外線発光素子１４にはキャパシタ２０に充電された電圧ＥＣと電池１６Ａの電圧ＥＢを加算した電圧ＥＯ＝ＥＢ＋ＥＣが印加される。電圧ＥＯは電池１６Ａの定格起電圧１．５ボルトの約２倍（３ボルト）になるために電池１６Ａの電圧ＥＢ単独では赤外線発光素子１４を発光させることができなくとも、キャパシタ２０に充電された電圧ＥＣと電池１６Ａの電圧ＥＢとの和の電圧ＥＯ＝ＥＢ＋ＥＣ（約３ボルト）が赤外線発光素子１４の発光電圧を越えていれば赤外線発光素子１４を発光させることができる。
従って、この図５に示す場合にも電池１６Ａを１本で済ませることができる利点が得られる。
【０００６】
【特許文献１】
特開２００１−２８５２０６号公報（第３〜４頁、図１）
【特許文献２】
特開平９−１３９９８４号公報（第２〜３頁、図１）
【特許文献３】
特開平１０−６５６１４号公報（第２〜３頁、図１）
【０００７】
【発明が解決しようとする課題】
図２乃至図５に示した従来の駆動方法によれば、確かに１本の電池１６Ａでリモコン装置を駆動することができる。然し乍ら、昇圧回路及びインダクタ等を使用している部品の数が多く回路構造が複雑であることと、回路構造が複雑であるがために、消費電力量も大きくなる欠点がある。
この発明の目的は回路規模を縮小し、これに伴って電力消費量も小さくできるリモコン装置を提供しようとするものである。
【０００８】
【課題を解決するための手段】
この発明では複数の操作スイッチと、１．５ボルト以下の駆動電圧で被制御機器に制御光を発射することができる赤外線発光素子と、複数の操作スイッチの操作に応じて１．５ボルト以下の駆動電圧で赤外線発光素子の発光状態を制御することができるマイクロコンピュータと、赤外線発光素子とマイクロコンピュータに１．２〜１．５ボルトの駆動電圧を与える電池とによって構成したリモコン装置を提案するものである。
【０００９】
作用
この発明によれば赤外線発光素子とマイクロコンピュータが１．５ボルト以下の電圧で動作することができることから、インダクタ及びキャパシタ、或は昇圧回路のような部品を用いる必要がない。
従って、回路構造を簡素化することができる。また回路構造が簡素であることから、それだけ電力消費量を少なくできる利点が得られる。
【００１０】
【発明の実施の形態】
図１にこの発明によるリモコン装置の一実施例を示す。図１において１６Ａは定格電圧が１．５ボルトの電圧を出力する電池、１４０は１．２〜１．５ボルトの電圧範囲で動作する赤外線発光素子、１１０は複数の操作スイッチＫ１、Ｋ２、Ｋ３…を具備した入力手段、１２０は同様に１．２〜１．５ボルトの電圧範囲で動作するマイクロコンピュータ、１３０はこのマイクロコンピュータ１２０から出力されるパルス列によってオン、オフ動作し、赤外線発光素子１４０を点滅制御するトランジスタを示す。
【００１１】
つまり、入力手段１１０を構成する操作スイッチＫ１、Ｋ２、Ｋ３…の何れかを操作することにより、その操作スイッチＫ１、Ｋ２、Ｋ３…に割当てられた制御コード（直列コード信号）がマイクロコンピュータ１２０からトランジスタ１３０に与え、トランジスタ１３０がその制御コードに従って断続動作を行う。
赤外線発光素子１４０はトランジスタ１３０の断続動作に従ってパルス光を発信し、被制御機器（特に図示していない）に制御光を発射し、被制御機器（特に図示していない）の状態を制御する。
【００１２】
この発明ではマイクロコンピュータ１２０と赤外線発光素子１４０が１．２ボルト〜１．５ボルトの範囲で動作する新規の素子を用いる。マイクロコンピュータ１２０と赤外線発光素子１４０が１．２ボルト〜１．５ボルトの駆動電圧範囲で動作することから、この発明では赤外線発光素子１４０とマイクロコンピュータ１２０に対して定格起電圧が１．５ボルトの１本の電池１６Ａの電圧を直接印加すれば、これらのマイクロコンピュータ１２０と赤外線発光素子１４０を動作させることができる。
【００１３】
尚、赤外線発光素子１４０に直列に接続されている抵抗器１５０はトランジスタ１３０と赤外線発光素子１４０に流れる電流を規定値の範囲に制限するための電流制限用抵抗器であり、その抵抗値はわずかな値の抵抗器である。つまり、この電流制限用抵抗器１５０における電圧降下は電池１６Ａの起電圧１．５ボルトに対してわずかな電圧であり、この電流制限用抵抗器１５０における電圧降下によって赤外線発光素子１４０の駆動電圧が不足することはない。
この発明の構成によれば入力手段１１０を構成する操作スイッチＫ１、Ｋ２、Ｋ３…の中の任意の操作スイッチ、例えばＫ１を操作すれば、マイクロコンピュータ１２０は電池１６Ａの起電圧が１．２〜１．５ボルトの範囲にあれば正常に動作し、この操作スイッチＫ１に割当てられた直列コード信号をトランジスタ１３０に与える。トランジスタ１３０は直列コード信号に従って断続動作し、この断続動作により赤外線発光素子１４０は電池１６Ａの起電圧が１．２〜１．５ボルトの範囲にあれば、直列コード信号に対応して発光し、被制御機器に所定の直列コードを持つ光パルスを伝送することができる。
【００１４】
【発明の効果】
上述したように、この発明によれば昇圧回路、或は逆起電圧を発生させるためのインダクタ及びこのインダクタと共振させるためのキャパシタ等の付加回路を設けなくても、１本の電池１６Ａの起電圧が１．２〜１．５ボルトの動作範囲にあればマイクロコンピュータ１２０及び赤外線発光素子１４０は正常に動作する。
従って、安価なコストでリモコン装置を製造することができる。更に、昇圧回路、或は逆起電圧発生回路等の付加回路を必要としないから、それだけ回路構造が簡素であり、これにより消費電力量も小さくできる利点が得られる。
【図面の簡単な説明】
【図１】この発明の一実施例を説明するための接続図。
【図２】従来の技術を説明するための接続図。
【図３】従来の技術の他の例を説明するための接続図。
【図４】従来の技術の更に他の例を説明するための接続図。
【図５】従来の技術の更に他の例を説明するための接続図。
【符号の説明】
１１、１１０　　入力手段
Ｋ１、Ｋ２、Ｋ３…　　操作スイッチ
１２　　１．７ボルト以上の駆動電圧で動作するマイクロコンピュータ
１２０　　１．２〜１．５ボルトの駆動電圧で動作するマイクロコ
ンピュータ１４　　１．７ボルト以上の駆動電圧で動作する赤外線発光素子
１４０　　１．２〜１．５ボルトの駆動電圧で動作する赤外線発光
素子１５、１５０　　電流制限用抵抗器
１６Ａ、１６Ｂ　　電池
１７　　昇圧回路
１８　　インダクタ
１９、２０　　キャパシタ
【図１】
2004096549.tif 000003
【図２】
2004096549.tif 000004
【図３】
2004096549.tif 000005
【図４】
2004096549.tif 000006
【図５】
2004096549.tif 000007